(57)【要約】【課題】雨水が屋根下地材に至る漏水を確実に防止することができる。【解決手段】屋根板１の屋根勾配方向の上辺縁部に外方下向きに折曲された外方折曲片１ａを形成すると共に下辺縁部に内方上向きに折曲された内方折曲片１ｂを形成し、連結板２の上辺縁部に屋根板１の上辺縁部の外方折曲片１ａの内面と屋根板１の外面との間に挿通係合される挿通部２ａを形成すると共に連結板２の下辺縁部に屋根板１の下辺縁部の内方折曲片１ｂが挿通係合される受け部２ｂを形成し、屋根板１の上辺縁部の外方折曲片１ａの内面と屋根板１の外面との間に連結板２の上辺縁部の挿通部２ａを挿通係合して屋根板１の上辺縁部及び連結板２の上辺縁部を屋根下地材Ｔ上に固定手段４により固定し、屋根下地材Ｔ上に固定された連結板２の下辺縁部の受け部２ｂに連結板２と共に固定された屋根材１の屋根勾配方向上位に葺設される屋根板１の下辺縁部の内方折曲片１ｂを挿通係合してなる。【選択図】        図１
2004183286.tif 000002
【特許請求の範囲】
【請求項１】
屋根下地材上に葺設される複数枚の金属製の屋根板と、該屋根板を屋根勾配方向上下に連結する連結板からなり、上記屋根板の屋根勾配方向の上辺縁部に外方下向きに折曲された外方折曲片を形成すると共に下辺縁部に内方上向きに折曲された内方折曲片を形成し、上記連結板の上辺縁部に該屋根板の上辺縁部の外方折曲片の内面と該屋根板の外面との間に挿通係合される挿通部を形成すると共に該連結板の下辺縁部に該屋根板の下辺縁部の内方折曲片が挿通係合される受け部を形成し、該屋根板の上辺縁部の外方折曲片の内面と該屋根板の外面との間に連結板の上辺縁部の挿通部を挿通係合して該屋根板の上辺縁部及び連結板の上辺縁部を屋根下地材上に固定手段により固定し、該屋根下地材上に固定された連結板の下辺縁部の受け部に該連結板と共に固定された屋根材の屋根勾配方向上位に葺設される屋根板の下辺縁部の内方折曲片を挿通係合してなることを特徴とする屋根構造。
【請求項２】
上記連結板の上辺縁部の挿通部の内面と上記屋根板の上辺縁部の外面との間に両面粘着テープを介装してなることを特徴とする請求項１記載の屋根構造。
【請求項３】
上記連結板の下辺縁部の受け部にコーキング材を充填してなることを特徴とする請求項１又は２記載の記載の屋根構造。
【発明の詳細な説明】
【０００１】
【発明の属する技術分野】
本発明は金属製の屋根板を用いた横葺の屋根構造に関するものである。
【０００２】
【従来の技術】
日本の積雪地域では屋根雪処理に地下水や温水を屋根葺き材上に散水して融雪する散水融雪設備を用いている地域がある。勾配屋根においては、横葺き屋根と縦葺き屋根があるが、縦葺き屋根は瓦棒があり、その上に融雪されなかった積雪が残り、屋根面の全面融雪とならない欠点があり、屋根全面を均一に融雪するには横葺きが有利である。
【０００３】
従来、この種の屋根構造として、例えば、図７の如く、金属製の屋根板Ｒの上辺縁部の外方折曲片Ｓの内面と屋根板の外面との間にこの屋根材Ｒの屋根勾配方向上位に葺設される屋根板Ｒの下辺縁部の内方折曲片Ｖを挿通係合しつつ複数枚の屋根板Ｒを屋根下地材Ｔ上に釘Ｑにより固定葺設した構造が知られている。
【０００４】
【発明が解決しようとする課題】
しかしながら上記従来構造の場合、外方折曲片Ｓと内方折曲片Ｕとの間にコーキング材Ｐを充填したとしても、屋根板のずれが生じ、コーキング材と屋根材との間隙から屋根下地材に至る漏水が生じ、防水性が低下する。この現象を防止するための方法として、連結部の突起を高くすることと、屋根勾配を大きくすることになる。現在施工されている屋根勾配は最小でも四寸勾配である。家屋の通常の屋根勾配は三寸勾配程度であるので、散水融雪の屋根は一層急峻となる。このことは様々な問題をひきおこす。例えば、家屋の下屋根の勾配を大きくすると、二階の窓が取れなかったり、片流れ屋根にすると屋根頂部の高さが制限の高さを超えたりする問題が生ずる。また、屋根頂部に設置した散水ノズルは一定間隔で配置されているので、急勾配の屋根は、水が屋根全面に均等に広がらず、降雪の融解効率が落ちることがあるという不都合を有している。
【０００５】
【課題を解決するための手段】
本発明はこのような課題を解決することを目的とするもので、本発明のうちで、請求項１記載の発明は、屋根下地材上に葺設される複数枚の金属製の屋根板と、該屋根板を屋根勾配方向上下に連結する連結板からなり、上記屋根板の屋根勾配方向の上辺縁部に外方下向きに折曲された外方折曲片を形成すると共に下辺縁部に内方上向きに折曲された内方折曲片を形成し、上記連結板の上辺縁部に該屋根板の上辺縁部の外方折曲片の内面と該屋根板の外面との間に挿通係合される挿通部を形成すると共に該連結板の下辺縁部に該屋根板の下辺縁部の内方折曲片が挿通係合される受け部を形成し、該屋根板の上辺縁部の外方折曲片の内面と該屋根板の外面との間に連結板の上辺縁部の挿通部を挿通係合して該屋根板の上辺縁部及び連結板の上辺縁部を屋根下地材上に固定手段により固定し、該屋根下地材上に固定された連結板の下辺縁部の受け部に該連結板と共に固定された屋根材の屋根勾配方向上位に葺設される屋根板の下辺縁部の内方折曲片を挿通係合してなることを特徴とする屋根構造にある。
【０００６】
又、請求項２記載の発明は、上記連結板の上辺縁部の挿通部の内面と上記屋根板の上辺縁部の外面との間に両面粘着テープを介装してなることを特徴とするものであり、又、請求項３記載の発明は、上記連結板の下辺縁部の受け部にコーキング材を充填してなることを特徴とするものである。
【０００７】
【発明の実施の形態】
図１乃至図６は本発明の実施の形態例を示し、図１乃至図４は第一形態例、図５は第二形態例、図６は第三形態例である。
【０００８】
図１乃至図４の第一形態例において、１は屋根板であって、鉄板、アルミ板等の金属により製作され、野地板等の屋根下地材Ｔ上に複数枚葺設され、又、２は連結板であって、屋根板１を屋根勾配方向上下に連結する構造となっている。
【０００９】
又、上記屋根板１の屋根勾配方向の上辺縁部に外方下向きに折曲された外方折曲片１ａを形成すると共に下辺縁部に内方上向きに折曲された内方折曲片１ｂを形成し、この場合、更に、外方折曲片１ａに内方折曲縁１ｃを形成すると共に内方折曲片１ｂに外方折曲縁１ｄを形成している。
【００１０】
又、上記連結板２の上辺縁部に屋根板１の上辺縁部の外方折曲片１ａの内面１ｅと屋根板１の外面１ｆとの間に挿通係合される挿通部２ａを形成すると共に連結板２の下辺縁部に屋根板１の下辺縁部の内方折曲片１ｂが挿通係合される受け部２ｂを形成し、この場合、挿通部２ａは連結板２の上側片２ｃと、この上側片２ｃを折曲した外方折曲縁２ｄとにより形成され、又、受け部２ｂは連結板２の下側片２ｅを折返折曲した折返部分２ｆと、この折返部分２ｆに連続して更に折返折曲した折曲部分２ｇと、折曲部分２ｇに形成された外方折曲縁２ｈとにより形成されている。
【００１１】
３は両面粘着テープであって、両面の剥離テープを剥がし、上記連結板２の上辺縁部の挿通部２ａの上側片２ｃの内面２ｉと屋根板１の上辺縁部の外面１ｆとの間に両面粘着状態に介装されている。
【００１２】
４は固定手段であって、この場合、図４の如く、釘５が用いられ、屋根板１の外方折曲片１ａ、連結板２の上側片２ｃ、両面粘着テープ３及び屋根板１を介して屋根下地材Ｔに釘を打ち込んで固定するように構成している。
【００１３】
６はコーキング材であって、上記連結板の下辺縁部の受け部２ｂに充填されている。
【００１４】
この実施の第一形態例は上記構成であるから、図１、図４の如く、屋根板１の上辺縁部の外方折曲片１ａの内面と屋根板１の外面１ｆとの間に連結板２の上辺縁部の挿通部２ａを挿通係合して屋根板１の上辺縁部及び連結板２の上辺縁部を屋根下地材Ｔ上に固定手段４により固定し、この屋根下地材Ｔ上に固定された連結板２の下辺縁部の受け部２ｂに連結板２と共に固定された屋根材１の屋根勾配方向上位に葺設される屋根板１の下辺縁部の内方折曲片１ｂを挿通係合し、これを順次屋根勾配方向上位へと繰り返して複数枚の屋根板１を葺設することになり、このため、雨水が屋根下地材Ｔに至る漏水を確実に防止することができる。
【００１５】
このため、二枚の屋根板１を連結板２を介して連結したことにより、漏水を防止できる効果が得られ、この効果はさらにいくつかの波及効果を生み、例えば、屋根雪の散水融雪においては、漏水の心配がないので、屋根勾配を拾分の二程度にでき、水の流速を緩やかにして、屋根全面に均等な厚さの水膜を作ることができるので、雪の消し残しが解消されるという効果があり、また、屋根が緩勾配化されるので、片流れ屋根の頂部の高さを低くできるので、高さ制限の制約からも解放され、さらに、家屋１階の屋根の勾配が小さくなれば、二階の窓も大きく取ることができ、さらに、施工作業では、緩勾配故に、作業者の滑落防止にも効果を発揮することになり、このように本発明は従来の技術では果たし得なかった数々の利点を有する横葺き屋根構造となる。
【００１６】
又、この場合、上記連結板２の上辺縁部の挿通部２ａの内面２ｉと上記屋根板１の上辺縁部の外面１ｆとの間に両面粘着テープ３を介装してなるから、一層確実に漏水を防ぐことができると共に屋根板１と連結板２とを仮固定することができ、作業性を高めることができる。又、この場合、上記連結板２の下辺縁部の受け部２ｂにコーキング材６を充填してなるから、一層確実に漏水を防止することができる。
【００１７】
図５の第二形態例は別例構造を示し、この場合、固定手段４として、釘５を連結板２の上側片２ｃ、両面粘着テープ３及び屋根板１を介して屋根下地材Ｔに釘を打ち込んで固定するように構成している。
【００１８】
図６の第三形態例も別例構造を示し、固定手段４として、吊子７が用いられ、他は第一形態例と同一構造が用いられ、この場合、吊子７の上辺縁部に屋根下地材Ｔに釘８により固定される固定部７ａを形成すると共に吊子７の下辺縁部に屋根材１の上辺縁部の外方折曲片１ａに係合する係合折曲片７ｂを形成して構成している。
【００１９】
これら第二及び第三形態例にあっても、上記第一形態例と同様な作用効果を得ることができる。
【００２０】
尚、本発明は上記実施の形態例に限られるものではなく、屋根板１の材質や連結板２の構造、固定手段４の構造等は適宜変更して設計される。
【００２１】
【発明の効果】
本発明は上述の如く、請求項１記載の発明にあっては、屋根板の上辺縁部の外方折曲片の内面と屋根板の外面との間に連結板の上辺縁部の挿通部を挿通係合して屋根板の上辺縁部及び連結板の上辺縁部を屋根下地材上に固定手段により固定し、この屋根下地材上に固定された連結板の下辺縁部の受け部に連結板と共に固定された屋根材の屋根勾配方向上位に葺設される屋根板の下辺縁部の内方折曲片を挿通係合し、これを順次屋根勾配方向上位へと繰り返して複数枚の屋根板を葺設することになり、このため、雨水が屋根下地材に至る漏水を確実に防止することができる。
【００２２】
又、請求項２記載の発明にあっては、上記連結板の上辺縁部の挿通部の内面と上記屋根板の上辺縁部の外面との間に両面粘着テープを介装してなるから、一層確実に漏水を防ぐことができると共に屋根板と連結板とを仮固定することができ、作業性を高めることができ、又、請求項３記載の発明にあっては、上記連結板の下辺縁部の受け部にコーキング材を充填してなるから、一層確実に漏水を防止することができる。
【００２３】
以上、所期の目的を充分達成することができる。
【図面の簡単な説明】
【図１】本発明の実施の第一形態例の部分断面図である。
【図２】本発明の実施の第一形態例の分解斜視図である。
【図３】本発明の実施の第一形態例の部分平面図である。
【図４】本発明の実施の第一形態例の部分拡大断面図である。
【図５】本発明の実施の第二形態例の部分拡大断面図である。
【図６】本発明の実施の第三形態例の部分拡大図である。
【図７】従来構造の部分断面図である。
【符号の説明】
１  屋根板
１ａ  外方折曲片
１ｂ  内方折曲片
２  連結板
２ａ  挿通部
２ｂ  受け部
３  両面粘着テープ
４  固定手段
６  コーキング材
７  吊子
【図１】
2004183286.tif 000003
【図２】
2004183286.tif 000004
【図３】
2004183286.tif 000005
【図４】
2004183286.tif 000006
【図５】
2004183286.tif 000007
【図６】
2004183286.tif 000008
【図７】
2004183286.tif 000009